(57)【要約】【課題】光学部材での光学作用領域を逸脱して走査される光を、光学部材による案内方向とは異なる、予め定めた方向へ案内する。【解決手段】調整ブラケケット１６４Ｓは、その平面１６４Ｂが傾斜面１００Ｋに対して非平行となっている。このため、ポリゴンミラー１０４から出力された露光光Ｌが、全露光光反射ミラー１１０へ到達するとき、走査開始側では、調整ブラケット１６４Ｓに入射するため、その露光光Ｌは、反射ミラー１１２ＣＫ（又は、反射ミラー１１２ＹＭ）において、画像形成時とは異なり、かつ予め定めた方向へ案内される。この予め定めた方向は、少なくとも感光体ドラム２１０Ｙ、２１０Ｍ、２１０Ｃ、２１０Ｋへの画像形成（静電潜像形成）に悪影響を及ぼさないように、ハウジング１００から出力されずに、光量が減衰する方向である。【選択図】図８
2011107464.tif 000002
【特許請求の範囲】
【請求項１】
光が入射する鏡面を備え、前記鏡面で反射した光を一定方向へ繰り返し走査する走査部材と、
前記走査部材から出射される光の光路上に配置され、前記走査部材による光の走査領域よりも短い領域に対応し、予め定めた下流側光路の目標に対して、光を案内する光学部材と、
前記光学部材に入射しない光を前記光学部材の案内方向とは異なる、予め定めた方向へ案内する案内部材と、
を有する光走査装置。
【請求項２】
前記案内部材が、前記光学部材の反射面の角度を調整する調整ブラケットであり、当該調整ブラケットにおける前記光を受ける主面と、前記光学部材の反射面との角度を異ならせて配置した請求項１記載の光走査装置。
【請求項３】
前記案内部材が、前記光学部材における光の走査開始側端部よりも上流に設けられ、光量調整のために点灯された光が入射される請求項１又は請求項２記載の光走査装置。
【請求項４】
前記請求項１〜請求項３の何れか１項記載の光走査装置と、
光を像保持体上で走査することで静電潜像を形成した後、現像して記録用紙に画像を転写する画像形成部と、
を有する画像形成装置。
【発明の詳細な説明】
【技術分野】
【０００１】
本発明は、光走査装置、画像形成装置に関する。
【背景技術】
【０００２】
特許文献１には、ＳＯＳミラーの保持部材に反射した光が、像面に至らないように、光の入射する面に、乱反射を目的として、複数の三角形状の突起を設けることが記載されている。
【先行技術文献】
【特許文献】
【０００３】
【特許文献１】特開平６−５９２０６号公報
【発明の概要】
【発明が解決しようとする課題】
【０００４】
本発明は、光学部材での光学作用領域を逸脱して走査される光を、光学部材による案内方向とは異なる、予め定めた方向へ案内することができる光走査装置及び画像形成装置を得ることが目的である。
【課題を解決するための手段】
【０００５】
請求項１に記載の発明は、光が入射する鏡面を備え、前記鏡面で反射した光を一定方向へ繰り返し走査する走査部材と、前記走査部材から出射される光の光路上に配置され、前記走査部材による光の走査領域よりも短い領域に対応し、予め定めた下流側光路の目標に対して、光を案内する光学部材と、前記光学部材に入射しない光を前記光学部材の案内方向とは異なる、予め定めた方向へ案内する案内部材と、を有している。
【０００６】
請求項２に記載の発明は、前記請求項１に記載の発明において、前記案内部材が、前記光学部材の反射面の角度を調整する調整ブラケットであり、当該調整ブラケットにおける前記光を受ける主面と、前記光学部材の反射面との角度を異ならせて配置している。
【０００７】
請求項３に記載の発明は、前記請求項１又は請求項２に記載の発明において、前記案内部材が、前記光学部材における光の走査開始側端部よりも上流に設けられ、光量調整のために点灯された光が入射されている。
【０００８】
請求項４に記載の発明は、前記請求項１〜請求項３の何れか１項記載の光走査装置と、光を像保持体上で走査することで静電潜像を形成した後、現像して記録用紙に画像を転写する画像形成部と、を有している。
【発明の効果】
【０００９】
請求項１及び請求項４記載の発明によれば、光学部材での光学作用領域を逸脱して走査される光を、光学部材による案内方向とは異なる、予め定めた方向へ案内することができる。
【００１０】
請求項２に記載の発明によれば、光を固定的に予め定めた方向へ案内することができる。
【００１１】
請求項３に記載の発明によれば、走査によって光学部材に入射する前の、必須の光を光路を、本構成を有しない場合に比べて、確実に管理することができる。
【図面の簡単な説明】
【００１２】
【図１】本発明の実施形態に係る画像形成装置を示す斜視図である。
【図２】図１に示す画像形成装置を示す断面図である。
【図３】図１に示す画像形成装置の本体に対して主開閉部及び中間転写ベルトユニットが開閉される様子と、該本体内に画像形成ユニットが着脱される様子とを示す側面図である。
【図４】本実施の形態に係る光走査装置の斜視図である。
【図５】本実施の形態に係る光走査装置の側面図である。
【図６】本実施の形態に係る光走査装置の平面図である。
【図７】本実施の形態に係る全露光光反射ミラー近傍を拡大した斜視図である。
【図８】図７のＶＩＩＩ−ＶＩＩＩ線断面図である。
【図９】本実施の形態における全露光光反射ミラー上での主走査の適用範囲を示す概念図である。
【発明を実施するための形態】
【００１３】
（画像形成装置全体構成）
図１及び図２には、本実施の形態に係る画像形成装置１０が示されている。
【００１４】
図１及び図２に示されるように、画像形成装置１０は、画像形成装置本体１２を有し、画像形成装置本体１２には、外装カバー１４に対して開閉するように前方側開閉部１８と、主開閉部２０とが装着されている。
【００１５】
前方側開閉部１８は、中心軸２４を中心に回転するようにして画像形成装置本体１２に対して開閉する。また、前方側開閉部１８には、操作部３４が取り付けられている。操作部３４は、例えば、画像形成する記録媒体の枚数を入力するテンキーや、画像形成を開始する際に操作される開始ボタン等を有する。
【００１６】
また、前方側開閉部１８には、前方側開閉部１８に対して開閉するように供給用開閉部３０が取り付けられている。供給用開閉部３０は、通常は図１及び図２に示すように前方側開閉部１８に対して閉じられている。後述する記録媒体供給装置５１０に収納された記録媒体とは異なる記録媒体を用いる際に、供給用開閉部３０は前方側開閉部１８に対して開かれる。
【００１７】
主開閉部２０は、中心軸２６を中心に回転するようにして画像形成装置本体１２に対して開閉する。主開閉部２０は、通常は画像形成装置本体１２に対して閉じられており、当該画像形成装置本体１２内に、画像形成ユニット２００Ｙ、２００Ｍ、２００Ｃ、２００Ｋを着脱する際に開かれる。
【００１８】
また、前方側開閉部１８は、主開閉部２０に装着され、支持ロール７０、中間転写ベルト６２等が前方側開閉部１８と干渉することを防止するため、主開閉部２０を開くことに先立ち開かれる。また、前方側開閉部１８を画像形成装置本体１２に対して閉じる際には、前方側開閉部１８を閉じることに先立って、主開閉部２０が画像形成装置本体１２に対して閉じられる。
【００１９】
また、主開閉部２０には、主開閉部２０に対して開閉するように副開閉部３２が取り付けられている。副開閉部３２は主開閉部２０とは独立して開閉し、主開閉部２０が画像形成装置本体１２に対して閉じられた状態で、主開閉部２０に対して開いた状態とする場合がある。副開閉部３２は、クリーニング装置９６の全部又は一部を画像形成装置本体１２内に着脱する際に開かれる。また、副開閉部３２は、上側の面が、画像の形成された記録媒体が排出される排出部として用いられている。
【００２０】
画像形成装置本体１２内には、記録媒体に画像を形成する画像形成部４０が設けられている。画像形成部４０は、例えば４個の画像形成ユニット２００Ｙ、２００Ｍ、２００Ｃ、２００Ｋを有する。
【００２１】
画像形成ユニット２００Ｙ、２００Ｍ、２００Ｃ、２００Ｋは、それぞれが像形成構造体として用いられていて、感光体ドラム２１０Ｙ、２１０Ｍ、２１０Ｃ、２１０Ｋをそれぞれが有し、それぞれが画像形成装置本体１２内に着脱される。画像形成ユニット２００Ｙ、２００Ｍ、２００Ｃ、２００Ｋは、画像形成装置本体１２の後側（図２における右側）から順に、画像形成ユニット２００Ｙ、２００Ｍ、２００Ｃ、２００Ｋの順に並べられている。
【００２２】
感光体ドラム２１０Ｙ、２１０Ｍ、２１０Ｃ、２１０Ｋは、それぞれが像を保持する像保持体として用いられている。
【００２３】
また、画像形成部４０は、光走査装置４１を有する。光走査装置４１は、感光体ドラム２１０Ｙ、２１０Ｍ、２１０Ｃ、２１０Ｋのそれぞれに対して光（露光光ＬＹ、ＬＭ、ＬＣ、ＬＫ／以下総称する場合、「露光光Ｌ」という場合がある。）を照射して、感光体ドラム２１０Ｙ、２１０Ｍ、２１０Ｃ、２１０Ｋのぞれぞれの表面に潜像を形成する。
【００２４】
また、画像形成部４０は、現像装置４６Ｙ、４６Ｍ、４６Ｃ、４６Ｋを有する。現像装置４６Ｙは、収納するイエローのトナーを用いて感光体ドラム２１０Ｙに形成された潜像を現像する。現像装置４６Ｍは、収納するマゼンタのトナーを用いて感光体ドラム２１０Ｍに形成された潜像を現像する。現像装置４６Ｃは、収納するシアンのトナーを用いて感光体ドラム２１０Ｃに形成された潜像を現像する。現像装置４６Ｋは、収納する黒のトナーを用いて感光体ドラム２１０Kに形成された潜像を現像する。
【００２５】
また、画像形成部４０は転写装置５８を有し、転写装置５８は、中間転写ベルトユニット６０及び２次転写装置８４を有し、中間転写ベルトユニット６０は中間転写ベルト６２を有する。
【００２６】
中間転写ベルト６２は、感光体ドラム２１０Ｙ、２１０Ｍ、２１０Ｃ、２１０Ｋから転写された像（トナー像）及び感光体ドラム２１０Ｙ、２１０Ｍ、２１０Ｃ、２１０Ｋから像が転写された記録媒体（用紙）の少なくとも一方を搬送する搬送部材として用いられている。また、中間転写ベルト６２は、無端状であって、支持ロール６４、６６、６８、７０、７２に、図２に矢印で示す方向に回転することができるように掛け渡されている。
【００２７】
また、中間転写ベルトユニット６０は、１次転写装置として用いられる１次転写ロール８０Ｙ、８０Ｍ、８０Ｃ、８０Ｋを有する。１次転写ロール８０Ｙ、８０Ｍ、８０Ｃ、８０Ｋは、感光体ドラム２１０Ｙ、２１０Ｍ、２１０Ｃ、２１０Ｋの表面にそれぞれが形成されたイエロートナー像、マゼンタのトナー像、シアンのトナー像、黒のトナー像を、中間転写ベルト６２に転写する。
【００２８】
２次転写装置８４は、２次転写ロール８６を有する。２次転写ロール８６は、中間転写ベルト６２に転写されたイエローのトナー像、マゼンタのトナー像、シアンのトナー像、及び黒のトナー像を、記録媒体に対してさらに転写する。
【００２９】
また、転写装置５８は、クリーニング装置９６を有し、クリーニング装置９６は掻き落とし部材９８を有する。掻き落とし部材９８は、２次転写ロール８６で記録媒体に対して各色のトナー像が転写された後に、中間転写ベルト６２の表面に残留する各色のトナーを掻き落とす。クリーニング装置９６の本体内には、掻き落とし部材９８によって掻き落とされたトナーが回収される。クリーニング装置９６は、副開閉部３２を開くことによって形成される開口部を介して画像形成装置本体１２内に着脱される。
【００３０】
転写装置５８を構成する部材のうち、中間転写ベルトユニット６０と、クリーニング装置９６とは主開閉部２０側に装着されている。転写装置５８のうち、２次転写ロール８６は画像形成装置本体１２側に装着されている。
【００３１】
また、画像形成装置本体１２内には、２次転写ロール８６によって記録媒体に転写されたトナー像を記録媒体に定着する定着装置５０が設けられている。
【００３２】
また、画像形成装置本体１２内には、回収容器２６０が設けられている。回収容器２６０には、現像装置４６Ｙ、４６Ｍ、４６Ｃ、４６Ｋから排出された余剰現像剤が回収される。回収容器２６０は、例えば画像形成ユニット２００Ｋと一体となっている。
【００３３】
また、画像形成装置本体１２内には、画像形成部４０に記録媒体を供給する記録媒体供給装置５１０が装着されている。記録媒体供給装置５１０は、画像形成装置本体１２の前側（図２における左側）に引き出すことができるようになっていて、記録媒体供給装置５１０を画像形成装置本体１２から引き出した状態で記録媒体が補充される。
【００３４】
記録媒体供給装置５１０は、例えば普通紙等の記録媒体を積層した状態で収納する記録媒体収納容器５１２を有する。また、記録媒体供給装置５１０は、記録媒体収納容器５１２に収納された最上位の記録媒体を抽出し、抽出した記録媒体を画像形成部４０へ向けて搬送する搬送ロール５１４を有する。また、記録媒体供給装置５１０は、記録媒体を捌き、画像形成部４０に複数枚の記録媒体が重なった状態で搬送されることを防止するために用いられるリタードロール５１６を有する。
【００３５】
また、画像形成装置本体１２内には、記録媒体の搬送に用いられる搬送路５３０が形成されている。搬送路５３０は、主搬送路５３２と、反転搬送路５３４と、副搬送路５３６とを有する。
【００３６】
主搬送路５３２は、記録媒体供給装置５１０から供給された記録媒体を画像形成部４０に搬送し、画像が形成された記録媒体を画像形成装置本体１２外に排出するために用いられる。主搬送路５３２に沿って、記録媒体が搬送される方向における上流側から順に、先述の搬送ロール５１４及びリタードロール５１６と、レジストロール５４２と、２次転写ロール８６と、定着装置５０と、排出ロール５４４とが配置されている。
【００３７】
レジストロール５４２は、記録媒体供給装置５１０側から搬送されてきた記録媒体の先端部を一時的に停止させ、中間転写ベルト６２に各色のトナー像が転写されるタイミングと合致するように記録媒体を２次転写ロール８６に向けて送り出す。
【００３８】
排出ロール５４４は、定着装置５０によって各色のトナーが定着された記録媒体を画像形成装置本体１２外に排出する。
【００３９】
反転搬送路５３４は、一方の面にトナー像が定着された記録媒体を反転させつつ再び画像形成部４０に向けて供給するために用いられる搬送路である。反転搬送路５３４に沿って、例えば２つの反転搬送ロール５４８、５４８が配置されている。反転搬送路５３４には、記録媒体の後端部を挟みこんだ状態で排出ロール５４４が逆回転することで記録媒体が後端部側から供給され、供給された記録媒体が反転搬送ロール５４８、５４８によって、レジストロール５４２の上流の位置へと搬送される。
【００４０】
副搬送路５３６は、記録媒体供給装置５１０に収納された記録媒体とは異なる記録媒体を画像形成部４０に供給するための搬送路である。副搬送路５３６には、供給用開閉部３０を開いた状態で画像形成装置本体１２の前側から記録媒体が供給される。副搬送路５３６に沿って、搬送ロール５５２とリタードロール５５４とが設けられている。搬送ロール５５２は、副搬送路５３６に供給され記録媒体を画像形成部４０に向けて搬送する。リタードロール５５４は、副搬送路５３６に供給された記録媒体を捌き、複数枚の記録媒体が重なった状態で記録媒体が画像形成部４０に搬送されることを防止するために用いられる。
【００４１】
図３には、主開閉部２０及び中間転写ベルトユニット６０が画像形成装置本体１２に対して開閉される様子と、画像形成装置本体１２内に画像形成ユニット２００が着脱される様子とが示されている。
【００４２】
図３に示されるように、画像形成装置本体１２に対して主開閉部２０を開くと、転写装置５８の中間転写ベルトユニット６０及びクリーニング装置９６が主開閉部２０とともに移動する。すなわち、中間転写ベルトユニット６０及びクリーニング装置９６は、画像形成装置本体１２に対して主開閉部２０と一体として開閉する。
【００４３】
主開閉部２０、中間転写ベルトユニット６０及びクリーニング装置９６が一体として画像形成装置本体１２に対して開かれると、画像形成装置本体１２に開口部３６が形成される。そして、開口部３６を介して、画像形成装置本体１２内に、画像形成ユニット２００Ｙ、２００Ｍ、２００Ｃ、２００Ｋがそれぞれ着脱される。回収容器２６０は、先述のように画像形成ユニット２００Ｋと一体とされている。このため、回収容器２６０は、画像形成ユニット２００Ｋと一体して画像形成装置本体１２内に着脱される。
【００４４】
なお、図３において、一点鎖線で囲まれた領域Ａは、電装系を含む様々なユニットや部品が密集して配置されており、前記着脱には、主開閉部２０等の開放による上方空間の確保が必須となる。
【００４５】
（光走査装置）
図４〜図６に示される如く、光走査装置４１は、４つの画像形成ユニット２００Ｙ、２００Ｍ、２００Ｃ、２００Ｋ（図２参照）に共通の１つのユニットで構成されており、図６に示す、４つの半導体レーザ１０２Ｙ、１０２Ｍ、１０２Ｃ、１０２Ｋを各色の色材階調データに応じて変調して、これらの半導体レーザから露光光ＬＹ、ＬＭ、ＬＣ、ＬＫを階調データに応じて出射するように構成されている。
【００４６】
また、光走査装置４１は、箱状のハウジング１００を蓋体１０１で閉塞した構造となっており、内部空間には、各露光光Ｌの発光源、並びに露光光Ｌを主走査方向に走査するための光学部材が適宜個所に取り付けられている。ハウジング１００の上面に取り付けられた蓋体１０１には、４本の露光光ＬＹ、ＬＭ、ＬＣ、ＬＫを、各画像形成ユニット２００Ｙ、２００Ｍ、２００Ｃ、２００Ｋの感光体ドラム２１０Ｙ、２１０Ｍ、２１０Ｃ、２１０Ｋに向けて出射するための窓（図示省略）が設けられている。
【００４７】
ここで、光走査装置４１から出力した露光光ＬＹ、ＬＭ、ＬＣ、ＬＫは感光体ドラム２１０Ｙ、２１０Ｍ、２１０Ｃ、２１０Ｋ上の露光ポイントに走査露光される。
【００４８】
図４〜図６に示される如く、光走査装置４１のハウジング１００は、平面視（図６参照）で矩形（概ね、長方形）に成型されている。なお、各図（図４〜図６）に示した矢印Ｆは、それぞれ同一方向を示している。
【００４９】
ハウジング１００の形状は、特に限定されるものではないが、後述する各部品の配置構成のための空間、並びに、前述の如く主走査される露光光ＬＹ、ＬＭ、ＬＣ、ＬＫの光路を確保する空間のそれぞれに基づき設定されている。
【００５０】
ハウジング１００は、部品配置空間が２段構造となっている。この２段構造の下段側には、露光光ＬＹ、ＬＭ、ＬＣ、ＬＫの発光源である半導体レーザ１０２Ｙ、１０２Ｍ、１０２Ｃ、１０２Ｋ及びポリゴンミラー１０４、並びに半導体レーザ１０２Ｙ、１０２Ｍ、１０２Ｃ、１０２Ｋとポリゴンミラー１０４との間の光路上に配置されるシリンダーレンズ１０３Ｙ、１０３Ｍ、１０３Ｃ、１０３Ｋ等の光源光学系、ポリゴンミラー１０４の光路の下流側に配置されたｆθレンズ１０８、ｆθレンズ１０８が出力された露光光Ｌを上段へ案内する全露光光反射ミラー１１０が配置されている（図５参照）。
【００５１】
一方、前記２段構造の上段には、前記全露光光反射ミラー１１０で反射した露光光を選択的に入射し、反射させることで必要な光路長を確保するための複数の反射ミラー１１２ＹＭ、１１２Ｍ、１１２ＣＫ、１１２Ｃ、並びに最終的に露光光ＬＹ、ＬＭ、ＬＣ、ＬＫを感光体ドラム２１０Ｙ、２１０Ｍ、２１０Ｃ、２１０Ｋ方向へ案内する最終段反射ミラーとしてのシリンダーミラー１１４Ｙ、１１４Ｍ、１１４Ｃ、１１４Ｋが配置されている。より具体的には、カラー画像形成に必要な４色（ＣＭＹＫ）の各露光光ＬＹ、ＬＭ、ＬＣ、ＬＫを、前記各色毎の感光体ドラム２１０Ｙ、２１０Ｍ、２１０Ｃ、２１０Ｋへ、同一の光路長で到達させるべく、前記全露光光反射ミラー１１０で反射した露光光Ｌを、反射ミラー１１２ＹＭ、１１２Ｍ、１１２ＣＫ、１１２Ｃ並びに最終段反射ミラー１１４Ｙ、１１４Ｍ、１１４Ｃ、１１４Ｋにより、３回又は４回反射させる構成になっている。
【００５２】
なお、ハウジングの角部（図６の右上角部）にはＳＯＳセンサ１１５が配置されており、露光光ＬＫが入力されることで、画像記録タイミングの同期を図るようにしている。
【００５３】
ところで、ハウジング１００内での露光光Ｌの光路において、下流側になればなるほど、主走査長が長くなる。このため、ハウジング１００の上段に配置された反射ミラー１１２ＹＭ、１１２Ｍ、１１２ＣＫ、１１２Ｃ並びに最終段反射ミラー１１４Ｙ、１１４Ｍ、１１４Ｃ、１１４Ｋは、各露光光ＬＹ、ＬＭ、ＬＣ、ＬＫの主走査長に合わせて、ハウジング１００における互いに対向する側壁（図６で左右の側壁部１００Ｓ）に掛け渡されるほどの長さが必要となる。これに対して、前記シリンダーレンズ等によって、露光光Ｌは主走査方向と直交する副走査方向には集光されているため、上段に配置された反射ミラー１１２ＹＭ、１１２Ｍ、１１２ＣＫ、１１２Ｃ並びに最終段反射ミラー１１４Ｙ、１１４Ｍ、１１４Ｃ、１１４Ｋは、主走査方向（長手方向）：副走査方向（短辺方向）が２０：１以上の細長い構造となっている。また、肉厚寸法は、ハウジング１００の上段の光路空間を確保するべく、必要最小限に抑えられている。
【００５４】
例えば、反射ミラー１１２Ｍでは、側壁部１００Ｓに溝部１００Ａが設けられ、この溝部１００Ａに反射ミラー１１２Ｍの長手方向両端部が収容され、データム１１６に突き当てられて位置決めされ、かつ板ばね部材１２８の弾性力によって、位置決め状態が保持されている。
【００５５】
図７及び図８に示される如く、全露光光反射ミラー１１０は、その長手方向が、予めハウジング１００の傾斜面１００Ｋの背面側に入り込むようにして取り付けられている。
【００５６】
傾斜面１００Ｋは、ハウジング１００を成形する際に、全露光光反射ミラー１１０の取付位置に基づいて、当該全露光光反射ミラー１１０の長手方向両端部に形成される。
【００５７】
図８に示される如く、傾斜面１００Ｋの背面側は、全露光光反射ミラー１１０が配置された状態で、保持ブラケット１６０が取り付けられている。保持ブラケット１６０は、金属製の板部材が鈍角に屈曲されて、「く」の字型に形成され、２つの平面１６０Ａ、１６０Ｂに区画されている。
【００５８】
保持ブラケット１６０の一方の平面１６０Ａは、ハウンジング１００の底部１００Ｔの裏面側にビス止めされている。この結果、他方の平面１６０Ｂは、前記傾斜面１００Ｋに対向するように配置される。このとき、傾斜面１００Ｋと平面１６０Ｂとは互いに平行状態とされている。
【００５９】
平面１６０Ｂには、傾斜面１００Ｋ方向に向けて半球状の突起部１６２が形成され、この突起部１６２の頂点が全露光光反射ミラー１１０に突き当てられている。
【００６０】
ここで、全露光光反射ミラー１１０は、図示しないハウジングに形成されたデータムを介して傾斜面１００Ｋの背面に支持された状態で、保持ブラケット１６０の弾性力で前記突起部１６２により押圧されている。このため、全露光光反射ミラー１１０は、傾斜面１００Ｋと保持ブラケット１６０との間に挟まれた状態で位置決めされる。
【００６１】
一方、傾斜面１００Ｋ（全露光光反射ミラー１１０の長手方向両端部に対向）の表面側には、調整ブラケット１６４Ｓ（主走査開始側）が取り付けられている。
【００６２】
図８に示される如く、調整ブラケット１６４Ｓは、金属製の板部材が鈍角に屈曲されて、「く」の字型に形成され、２つの平面１６４Ａ、１６４Ｂを区画している。
【００６３】
調整ブラケット１６４Ｓの一方の平面１６４Ａは、傾斜面１００Ｋを上端の高さ位置にある天面部１００Ｕへビス１６６によって固定されている。この結果、他方の平面１６４Ｂ（主面）は、前記傾斜面１００Ｋに対向するように配置される。このとき、傾斜面１００Ｋと平面１６４Ｂとは互いに非平行状態とされている。
【００６４】
図８に示される如く、調整ブラケット１６４Ｓにおける平面１６４Ｂには、その一部に円筒状の雌ねじ部１６８が形成され、調整ビス１７０が取り付けられている。この調整ビス１７０の軸線延長方向に対面する傾斜面１００Ｋには、貫通孔１７２が形成されており、この結果、調整ビス１７０の先端は、全露光光反射ミラー１１０に突き当てられている。
【００６５】
このため、調整ビス１７０を左右に回転させて、軸線方向に移動させることで、全露光光反射ミラー１１０の角度が調整される構成となっている。
【００６６】
本実施の形態では、ポリゴンミラー１０４での露光光Ｌの走査幅（走査領域）は、前記全露光光反射ミラー１１０の長手方向長さよりも長く設定されている。このため、半導体レーザ１０２Ｙ、１０２Ｍ、１０２Ｃ、１０２Ｋが点灯している場合、その露光光Ｌは、調整ブラケット１６４ＳＥにも照射される可能性がある。
【００６７】
これに対して、主走査開始側においては、画像形成範囲外であるが、全露光光反射ミラー１１０へ至る前に光量制御、並びに全露光光反射ミラー１１０に入射した直後にＳＯＳセンサ１１５（図６参照）による画像形成時の主走査開始時期のための露光光Ｌ検出制御が実行される（これらを総称して、「ＳＯＳ前点灯」という場合がある）。このため、調整ブラケット１６４Ｓを通過するとき、半導体レーザ１０２Ｙ、１０２Ｍ、１０２Ｃ、１０２Ｋは点灯状態にある（図９参照）。
【００６８】
このため、ポリゴンミラー１０４から出力された露光光Ｌが、全露光光反射ミラー１１０へ到達するとき、主走査開始側（図９の光量制御領域）では、調整ブラケット１６４Ｓに入射するため、その露光光Ｌは、反射ミラー１１２ＣＫ（又は、反射ミラー１１２ＹＭ）において、画像形成時とは異なり、かつ予め定めた方向へ案内される（図８の実線光路参照）。この予め定めた方向は、少なくとも感光体ドラム２１０Ｙ、２１０Ｍ、２１０Ｃ、２１０Ｋへの画像形成（静電潜像形成）に悪影響を及ぼさないように、ハウジング１００から出力されずに、光量が減衰する方向である。
【００６９】
一方、主走査が継続し、全露光光反射ミラー１１０に対向すると、その露光光Ｌは、反射ミラー１１２ＣＫ（又は、反射ミラー１１２ＹＭ）へ至り、それぞれ感光体ドラム２１０Ｙ、２１０Ｍ、２１０Ｃ、２１０Ｋへ案内され、画像形成処理が実行される。
【００７０】
以下に本実施の形態の作用を説明する。
【００７１】
（画像形成手順）
画像データは、さらにイエロー（Ｙ）、マゼンタ（Ｍ）、シアン（Ｃ）、ブラック（Ｋ）の４色の色材階調データに変換され、光走査装置４１に順次出力される。光走査装置４１では、各色の色材階調データに応じて各露光光Ｌを出射して、各感光体ドラム２１０Ｙ、２１０Ｍ、２１０Ｃ、２１０Ｋに走査露光を行い、潜像（静電潜像）が形成される。
【００７２】
感光体ドラム２１０Ｙ、２１０Ｍ、２１０Ｃ、２１０Ｋ上に形成された静電潜像は、現像部によって、それぞれイエロー（Ｙ）、マゼンタ（Ｍ）、シアン（Ｃ）、ブラック（Ｋ）の各色のトナー像として顕在化される（現像）。そして、各画像形成ユニット２００Ｙ、２００Ｍ、２００Ｃ、２００Ｋの感光体ドラム２１０Ｙ、２１０Ｍ、２１０Ｃ、２１０Ｋ上に順次形成された各色のトナー像は、４つの一次転写ロール８０Ｙ、８０Ｍ、８０Ｃ、８０Ｋによって中間転写ベルト６２上に順次多重転写される。
【００７３】
中間転写ベルト６２上に多重転写された各色のトナー像は、二次転写ロール８６によって、搬送されてきた記録用紙Ｐ上に二次転写される。そして、記録用紙Ｐ上の各色のトナー像が定着装置５０で定着され、定着後の記録用紙Ｐは排出される。
【００７４】
トナー像の転写工程が終了した後の感光体ドラム２１０Ｙ、２１０Ｍ、２１０Ｃ、２１０Ｋの表面は、残留トナーや紙粉等が除去される。また、中間転写ベルト１６上の残留トナーや紙粉等が、クリーニング装置９６で除去される。
【００７５】
上記画像形成を実行する場合、１回の主走査毎に、半導体レーザ１０２Ｙ、１０２Ｍ、１０２Ｃ、１０２Ｋの光量調整が実行される。一般的には、半導体レーザ１０２Ｙ、１０２Ｍ、１０２Ｃ、１０２Ｋは、主となる出力面に対して、反対側から比例的に光が出力されるため、光量調整は、この反対側から出力される光を検出して光量調整が実行されるが、当然、主となる出力面からも露光光Ｌが出力されることになる。
【００７６】
この光量調整時期は、図９に示される如く、主となる出力面からの露光光Ｌが、調整ブラケット１６４Ｓに当てられる時期となっている。
【００７７】
このとき、調整ブラケット１６４Ｓの平面１６４Ｂが全露光光反射ミラー１１０の反射面と平行であると、不要な露光光Ｌが感光体ドラム２１０Ｙ、２１０Ｍ、２１０Ｃ、２１０Ｋへ到達する場合がある。
【００７８】
そこで、本実施の形態では、調整ブラケット１６４Ｓの平面１６４Ｂを、全露光光反射ミラー１１０の反射面と非平行（傾斜面１１０Ｋと非平行）となるように形成した。このため、光量制御中に平面１６４Ｂに入射する露光光Ｌは、図８の実線の如く、反射ミラー１１２ＣＫ（又は１１２ＹＭ）で画像形成時とは異なる方向へ反射され、予め定めた方向へ案内される。
【００７９】
この予め定めた方向へ案内された露光光Ｌは、ハウジング１００から出力されずに、やがて光量が減衰するため、少なくとも感光体ドラム２１０Ｙ、２１０Ｍ、２１０Ｃ、２１０Ｋへの画像形成（静電潜像形成）に悪影響を及ぼすことがない。
【符号の説明】
【００８０】
１０    画像形成装置
４１    光走査装置（光学装置）
１００    ハウジング
１００Ｋ    傾斜面
１００Ｕ    天面部
１００Ｔ    底部
１０４    ポリゴンミラー（走査部材）
１１０    全露光光反射ミラー
１６０    保持ブラケット
１６２    突起部
１６４Ｓ、１６４Ｅ    調整ブラケット
１６６    ビス
１６４Ｂ    平面（主面）
１６８    雌ねじ部
１７０    調整ビス
１７２    貫通孔
【図１】
2011107464.tif 000003
【図２】
2011107464.tif 000004
【図３】
2011107464.tif 000005
【図４】
2011107464.tif 000006
【図５】
2011107464.tif 000007
【図６】
2011107464.tif 000008
【図７】
2011107464.tif 000009
【図８】
2011107464.tif 000010
【図９】
2011107464.tif 000011